(57)【要約】  本発明の医療用コネクタは、オスコネクタ部をメスコネクタ部に挿入すると、第１ロック部がメスコネクタ部と係合し、第１ロック状態になると共に第２ロック状態となり、第２ロック解除操作部の操作にて第２ロック状態を解消させ、メスコネクタ部をオスコネクタ部に対して離脱方向に移動させると、ロック部材が、第１ロック状態を維持したままでメスコネクタ部と共に前記離脱方向に移動し、メスコネクタ部をオスコネクタ部に対して回転させると、第１ロック状態が解消することを特徴とするものである。
2016152137.tif 000002
【特許請求の範囲】
【請求項１】
医療用コネクタにおいて、
オスコネクタ部と該オスコネクタ部の外周を取り囲むカバー部とを備えるコネクタ本体と、
前記カバー部内に配置され、前記カバー部に対して前記オスコネクタ部の軸線に沿う方向に所定の範囲内のみにおいて移動可能であると共に第１ロック部を備えるロック部材と、
第２ロック部と、
第２ロック解除操作部とを備え、
前記第１ロック部は、他の医療用コネクタのメスコネクタ部と係合し、前記メスコネクタ部を第１ロック状態にすることが可能であり、
前記第２ロック部は、前記第１ロック状態において、前記メスコネクタ部を、該メスコネクタ部が前記オスコネクタ部に対して離脱方向に移動できない第２ロック状態にすることが可能であり、
前記第２ロック解除操作部は、前記第２ロック状態を解消させるための操作部であり、
前記オスコネクタ部を前記メスコネクタ部に挿入すると、前記第１ロック部が前記メスコネクタ部と係合し、前記メスコネクタ部が前記第１ロック状態になると共に前記第２ロック状態となり、
前記第２ロック解除操作部の操作にて前記第２ロック状態を解消させ、前記メスコネクタ部を前記オスコネクタ部に対して離脱方向に移動させると、前記ロック部材が、前記第１ロック状態を維持したままで前記メスコネクタ部と共に前記離脱方向に移動し、
前記メスコネクタ部を前記オスコネクタ部に対して回転させると、前記第１ロック状態が解消することを特徴とする医療用コネクタ。
【請求項２】
前記オスコネクタ部を前記メスコネクタ部に挿入すると、前記ロック部材は、前記メスコネクタ部に押されて前記オスコネクタ部の基端側に移動し、該移動に伴って前記ロック部材が弾性変形し、該弾性変形に伴って前記第１ロック部が前記メスコネクタ部と係合し、
前記第１ロック状態を解消する際に、前記メスコネクタ部を前記オスコネクタ部に対して回転させると、前記ロック部材が前記メスコネクタ部と共に回転し、該回転に伴って前記ロック部材が前記弾性変形から復元し、該復元に伴って前記第１ロック状態が解消する、請求項１に記載の医療用コネクタ。
【請求項３】
前記オスコネクタ部を前記メスコネクタ部に挿入すると、前記ロック部材は、前記メスコネクタ部に押されて前記オスコネクタ部の基端側に第１の回転方向への回転を伴いつつ移動し、
前記第１ロック状態を解消する際に、前記メスコネクタ部を前記オスコネクタ部に対して回転させる方向は、前記第１の回転方向と反対方向である第２の回転方向である、請求項２に記載の医療用コネクタ。
【請求項４】
前記カバー部の内周面には第１の当接面が設けられており、
前記ロック部材の外周面には第２の当接面が設けられており、
前記第１の当接面と前記第２の当接面のうちの少なくとも一方が弦巻状の軌道に沿って形成されており、
前記第２の当接面が前記第１の当接面に押し当てられることで、前記ロック部材が前記オスコネクタ部に対して前記第１の回転方向に回転させられる、請求項３に記載の医療用コネクタ。
【請求項５】
前記第１ロック部は、複数の弾性片の先端側に設けられた複数の係合部として形成されており、
前記カバー部の内周面には、第１の内径を有する第１内径部と、該第１内径部よりも縮径された第２の内径を有する第２内径部とが設けられており、
前記ロック部材が前記メスコネクタ部に押されて前記オスコネクタ部の基端側に移動すると、前記複数の弾性片のそれぞれが前記第１内径部から前記第２内径部への移動に伴って径方向内側に弾性変形し、該弾性変形に伴って、複数の係合部として形成された前記第１ロック部のそれぞれが前記メスコネクタ部と係合する、請求項２〜４のいずれか一項に記載の医療用コネクタ。
【請求項６】
前記第１ロック部は、前記複数の弾性片の先端側に設けられ径方向内側に突出する複数の係合突起部として形成されており、
複数の係合突起部として形成された前記第１ロック部は、前記メスコネクタ部の外周面に凹設された複数の第１ロック部用係合凹部と係合可能である、請求項５に記載の医療用コネクタ。
【請求項７】
前記第２ロック部は、前記メスコネクタ部を前記カバー部に係合させることで、前記メスコネクタ部を前記第２ロック状態にする、請求項１〜６のいずれか一項に記載の医療用コネクタ。
【請求項８】
前記第２ロック部は、前記カバー部に設けられ径方向内側に突出する係合突起部からなり、
係合突起部からなる前記第２ロック部は、前記メスコネクタ部の外周面に凹設された第２ロック部用係合凹部と係合可能であり、
前記第２ロック解除操作部は、係合突起部からなる前記第２ロック部を有すると共に前記カバー部に一体に設けられた揺動レバーの操作部である、請求項７に記載の医療用コネクタ。
【発明の詳細な説明】
【技術分野】
【０００１】
本発明は、医療用コネクタに関し、特に、他の医療用コネクタに対する接続操作の容易性を確保しつつ、意図しない離脱の発生をより確実に防止しようとするものである。
【背景技術】
【０００２】
従来、患者に薬液を注入するための輸液セットや、その他の医療用器具などにおいて、流路を接続するために医療用コネクタが用いられている。このような医療用コネクタの接続は、通常、一方のコネクタに設けられたオスコネクタ部を、他方のコネクタに設けられたメスコネクタ部に挿入することでなされる。また、コネクタの意図しない離脱の発生を防止するために、コネクタ間に係合部を設けることも一般的である。例えば、ルアーロック方式のコネクタでは、係合部としてねじを用いているが、その接続に際しては、オスコネクタ部をメスコネクタ部に挿入し、ねじ止めするという２段階の接続操作が必要となり、接続操作が煩雑であった。また、外力の作用によりねじに緩みが生じると、コネクタの意図しない離脱が発生するおそれもあった。【０００３】
このような問題を解決するものとして、例えば、特許文献１〜２に記載されるように、係合部として複数の爪を用いるものが知られている。特許文献１〜２に記載の医療用コネクタは、オスコネクタ部と複数の爪とを備えており、オスコネクタ部を他の医療用コネクタのメスコネクタ部に挿入すると、複数の爪が、他の医療用コネクタに形成された段部を弾性変形しつつ乗り越え、復元することで、該段部からの引き抜けを防止するようになっている。このような構成によれば、オスコネクタ部をメスコネクタ部に挿入するだけでコネクタ同士を接続できるため、接続操作を容易化することができる。また、係合部としてねじを用いていため、ねじの緩みに起因するコネクタの意図しない離脱が発生することもない。
【先行技術文献】
【特許文献】
【０００４】
【特許文献１】特開２００４−４８３号公報
【特許文献２】国際公開第２０１２／１２８３２１（Ａ１）号パンフレット
【発明の概要】
【発明が解決しようとする課題】
【０００５】
しかしながら、特許文献１〜２に記載されるような構成の医療用コネクタでは、他の医療用コネクタとの接続状態で爪に外力が作用した場合に、爪が弾性変形しつつ段部を引き抜け方向に乗り越え、コネクタの意図しない離脱を生じてしまう余地があった。【０００６】
本発明は、前記の現状に鑑み開発されたもので、他の医療用コネクタに対する接続操作の容易性を確保しつつ、意図しない離脱の発生をより確実に防止できる医療用コネクタを提供することを目的とする。
【課題を解決するための手段】
【０００７】
本発明の医療用コネクタは、オスコネクタ部と該オスコネクタ部の外周を取り囲むカバー部とを備えるコネクタ本体と、前記カバー部内に配置され、前記カバー部に対して前記オスコネクタ部の軸線に沿う方向に所定の範囲内のみにおいて移動可能であると共に第１ロック部を備えるロック部材と、第２ロック部と、第２ロック解除操作部とを備え、前記第１ロック部は、他の医療用コネクタのメスコネクタ部と係合し、前記メスコネクタ部を第１ロック状態にすることが可能であり、前記第２ロック部は、前記第１ロック状態において、前記メスコネクタ部を、該メスコネクタ部が前記オスコネクタ部に対して離脱方向に移動できない第２ロック状態にすることが可能であり、前記第２ロック解除操作部は、前記第２ロック状態を解消させるための操作部であり、前記オスコネクタ部を前記メスコネクタ部に挿入すると、前記第１ロック部が前記メスコネクタ部と係合し、前記メスコネクタ部が前記第１ロック状態になると共に前記第２ロック状態となり、前記第２ロック解除操作部の操作にて前記第２ロック状態を解消させ、前記メスコネクタ部を前記オスコネクタ部に対して離脱方向に移動させると、前記ロック部材が、前記第１ロック状態を維持したままで前記メスコネクタ部と共に前記離脱方向に移動し、前記メスコネクタ部を前記オスコネクタ部に対して回転させると、前記第１ロック状態が解消することを特徴とする。【０００８】
ここで、本発明の医療用コネクタは、前記オスコネクタ部を前記メスコネクタ部に挿入すると、前記ロック部材は、前記メスコネクタ部に押されて前記オスコネクタ部の基端側に移動し、該移動に伴って前記ロック部材が弾性変形し、該弾性変形に伴って前記第１ロック部が前記メスコネクタ部と係合し、前記第１ロック状態を解消する際に、前記メスコネクタ部を前記オスコネクタ部に対して回転させると、前記ロック部材が前記メスコネクタ部と共に回転し、該回転に伴って前記ロック部材が前記弾性変形から復元し、該復元に伴って前記第１ロック状態が解消することが好ましい。【０００９】
また、本発明の医療用コネクタは、前記オスコネクタ部を前記メスコネクタ部に挿入すると、前記ロック部材は、前記メスコネクタ部に押されて前記オスコネクタ部の基端側に第１の回転方向への回転を伴いつつ移動し、前記第１ロック状態を解消する際に、前記メスコネクタ部を前記オスコネクタ部に対して回転させる方向は、前記第１の回転方向と反対方向である第２の回転方向であることが好ましい。【００１０】
また、本発明の医療用コネクタは、前記カバー部の内周面には第１の当接面が設けられており、前記ロック部材の外周面には第２の当接面が設けられており、前記第１の当接面と前記第２の当接面のうちの少なくとも一方が弦巻状の軌道に沿って形成されており、前記第２の当接面が前記第１の当接面に押し当てられることで、前記ロック部材が前記オスコネクタ部に対して前記第１の回転方向に回転させられることが好ましい。【００１１】
また、本発明の医療用コネクタは、前記第１ロック部が、複数の弾性片の先端側に設けられた複数の係合部として形成されており、前記カバー部の内周面には、第１の内径を有する第１内径部と、該第１内径部よりも縮径された第２の内径を有する第２内径部とが設けられており、前記ロック部材が前記メスコネクタ部に押されて前記オスコネクタ部の基端側に移動すると、前記複数の弾性片のそれぞれが前記第１内径部から前記第２内径部への移動に伴って径方向内側に弾性変形し、該弾性変形に伴って、複数の係合部として形成された前記第１ロック部のそれぞれが前記メスコネクタ部と係合することが好ましい。【００１２】
また、本発明の医療用コネクタは、前記第１ロック部が、前記複数の弾性片の先端側に設けられ径方向内側に突出する複数の係合突起部として形成されており、複数の係合突起部として形成された前記第１ロック部は、前記メスコネクタ部の外周面に凹設された複数の第１ロック部用係合凹部と係合可能であることが好ましい。【００１３】
また、本発明の医療用コネクタは、前記第２ロック部が、前記メスコネクタ部を前記カバー部に係合させることで、前記メスコネクタ部を前記第２ロック状態にすることが好ましい。【００１４】
さらに、本発明の医療用コネクタは、前記第２ロック部が、前記カバー部に設けられ径方向内側に突出する係合突起部からなり、係合突起部からなる前記第２ロック部は、前記メスコネクタ部の外周面に凹設された第２ロック部用係合凹部と係合可能であり、前記第２ロック解除操作部は、係合突起部からなる前記第２ロック部を有すると共に前記カバー部に一体に設けられた揺動レバーの操作部であることが好ましい。
【発明の効果】
【００１５】
本発明によれば、オスコネクタ部をメスコネクタ部に挿入すると、第１ロック部がメスコネクタ部と係合し、メスコネクタ部が第１ロック状態になると共に第２ロック状態となる。したがって、本発明によれば、オスコネクタ部を他の医療用コネクタのメスコネクタ部に挿入するだけでコネクタ同士を接続することができる。また、この接続状態において、第１ロック部はカバー部内に位置しているため、第１ロック部に外力が作用してコネクタの意図しない離脱を生じることが防止される。【００１６】
また、本発明によれば、このコネクタ同士の接続状態から、第２ロック解除操作部の操作にて第２ロック状態を解消させ、メスコネクタ部をオスコネクタ部に対して離脱方向に移動させると、ロック部材が、第１ロック状態を維持したままでメスコネクタ部と共に前記離脱方向に移動し、メスコネクタ部を前記オスコネクタ部に対して回転させると、第１ロック状態を解消させることができる。したがって、本発明によれば、コネクタ同士の接続を解除するためには、第２ロック解除操作部の操作、メスコネクタ部の引っ張り操作、及びメスコネクタ部の回転操作という３つの操作を経る必要がある。【００１７】
したがって、本発明によれば、他の医療用コネクタに対する接続操作の容易性を確保しつつ、意図しない離脱の発生をより確実に防止できる医療用コネクタを提供することができる。
【図面の簡単な説明】
【００１８】
【図１】本発明の一実施形態に係る医療用コネクタについて、他の医療用コネクタとの離脱状態を示す図であり、（ａ）は（ｄ）のＡ−Ａに沿う一部断面図、（ｂ）は（ｄ）のＢ−Ｂに沿う一部断面図、（ｃ）は（ｄ）のＣ−Ｃに沿う一部断面図、（ｄ）は斜視図である。
【図２】図１に示す医療用コネクタを示す図であり、（ａ）は分解斜視図、（ｂ）は（ａ）のＤ−Ｄに沿う断面図、（ｃ）は（ａ）のＥ−Ｅに沿う断面図である。
【図３】図１に示す医療用コネクタの他の角度から見た分解斜視図である。
【図４】図１に示す医療用コネクタのカバー部材を示す図であり、（ａ）は正面図、（ｂ）は（ａ）のＦ−Ｆに沿う断面図、（ｃ）は（ａ）のＧ−Ｇに沿う断面図である。
【図５】図１に示す医療用コネクタ及び他の医療用コネクタについて、接続開始時の状態を示す図であり、（ａ）は（ｄ）のＡ−Ａに沿う一部断面図、（ｂ）は（ｄ）のＢ−Ｂに沿う一部断面図、（ｃ）は（ｄ）のＣ−Ｃに沿う一部断面図、（ｄ）は斜視図である。
【図６】図１に示す医療用コネクタ及び他の医療用コネクタについて、接続完了時の状態を示す図であり、（ａ）は（ｄ）のＡ−Ａに沿う一部断面図、（ｂ）は（ｄ）のＢ−Ｂに沿う一部断面図、（ｃ）は（ｄ）のＣ−Ｃに沿う一部断面図、（ｄ）は斜視図である。
【図７】図１に示す医療用コネクタ及び他の医療用コネクタについて、接続解除開始時の状態を示す図であり、（ａ）は（ｄ）のＡ−Ａに沿う一部断面図、（ｂ）は（ｄ）のＢ−Ｂに沿う一部断面図、（ｃ）は（ｄ）のＣ−Ｃに沿う一部断面図、（ｄ）は斜視図である。
【図８】図１に示す医療用コネクタ及び他の医療用コネクタについて、第２ロック状態解消後、第１ロック状態解消前の状態を示す図であり、（ａ）は（ｄ）のＡ−Ａに沿う一部断面図、（ｂ）は（ｄ）のＢ−Ｂに沿う一部断面図、（ｃ）は（ｄ）のＣ−Ｃに沿う一部断面図、（ｄ）は斜視図である。
【図９】図１に示す医療用コネクタ及び他の医療用コネクタについて、接続解除完了時の状態を示す図であり、（ａ）は（ｄ）のＡ−Ａに沿う一部断面図、（ｂ）は（ｄ）のＢ−Ｂに沿う一部断面図、（ｃ）は（ｄ）のＣ−Ｃに沿う一部断面図、（ｄ）は斜視図である。
【図１０Ａ】図５に示した接続開始時の状態におけるカバー部材とロック部材を示す斜視図である。
【図１０Ｂ】図５に示した接続開始時の状態と図６に示した接続完了時の状態との間の状態におけるカバー部材とロック部材を示す斜視図である。
【図１０Ｃ】図６に示した接続完了時の状態におけるカバー部材とロック部材を示す斜視図である。
【図１０Ｄ】図８に示した、第２ロック状態解消後、第１ロック状態解消前の状態におけるカバー部材とロック部材を示す斜視図である。
【図１１Ａ】図５に示した接続開始時の状態におけるカバー部材とロック部材を示す他の角度から見た斜視図である。
【図１１Ｂ】図５に示した接続開始時の状態と図６に示した接続完了時の状態との間の状態におけるカバー部材とロック部材を示す他の角度から見た斜視図である。
【図１１Ｃ】図６に示した接続完了時の状態におけるカバー部材とロック部材を示す他の角度から見た斜視図である。
【図１１Ｄ】図８に示した、第２ロック状態解消後、第１ロック状態解消前の状態におけるカバー部材とロック部材を示す他の角度から見た斜視図である。
【図１２Ａ】図５に示した接続開始時の状態におけるカバー部材とロック部材を示す側面図である。
【図１２Ｂ】図５に示した接続開始時の状態と図６に示した接続完了時の状態との間の状態におけるカバー部材とロック部材を示す側面図である。
【図１２Ｃ】図６に示した接続完了時の状態におけるカバー部材とロック部材を示す側面図である。
【図１２Ｄ】図８に示した、第２ロック状態解消後、第１ロック状態解消前の状態におけるカバー部材とロック部材を示す側面図である。
【発明を実施するための形態】
【００１９】
以下、図１〜図１２Ｄを参照して、本発明の一実施形態に係る医療用コネクタ１について詳細に例示説明する。
なお、本明細書において、先端側とは、医療用コネクタ１のオスコネクタ部２の中心軸線Ｏに沿う方向におけるオスコネクタ部２の先端側（例えば、図１（ａ）における左側）を意味し、基端側とはその反対側を意味するものとする。また、正面は医療用コネクタ１の先端側、背面は医療用コネクタ１の基端側、側面は正面から背面に向かって見たときの左右方向、上下面は正面から背面に向かって見たときの上下方向を意味するものとする。
【００２０】
図１〜図３に示すように、本実施形態に係る医療用コネクタ１は、オスコネクタ部２と該オスコネクタ部２の外周を取り囲むカバー部３とを備えるコネクタ本体１ａと、カバー部３内に配置されたロック部材４とを備えている。本例では、オスコネクタ部２は、ハウジング５に一体に形成されており、カバー部３は、ハウジング５に固定されたカバー部材６として構成されている。また、ハウジング５には、メスコネクタ部７と混注ポート部８とが形成されている。混注ポート部８の開口部には、種々の医療用コネクタのオスコネクタ部の挿入時に該開口部を開放して流路を形成する一方で、そのようなオスコネクタ部の非挿入時には該開口部を閉鎖する弁体８ａが設けられている。
【００２１】
このように、本例では、オスコネクタ部２、メスコネクタ部７及び混注ポート部８を含むハウジング５と、該ハウジング５に固定されたカバー部材６と、ハウジング５の混注ポート部８に取り付けられた弁体８ａとによって、コネクタ本体１ａが構成されている。ハウジング５、カバー部材６及びロック部材４は、例えば合成樹脂製とすることができる。
【００２２】
なお、医療用コネクタ１は、本例ではオスコネクタ部２に加えてメスコネクタ部７及び混注ポート部８も備えるＴポートコネクタとして構成されているが、このような構成に限られるものではない。すなわち、医療用コネクタ１は、例えば、流路切替え構造をさらに加えた三方活栓として構成したり、輸液容器或いは留置針に繋がるチューブの端部に直接取付けられたオスコネクタとして構成したりすることができる。
【００２３】
図４に示すように、カバー部材６は、ロック部材４を取り囲むことが可能な外周壁部６ａと、外周壁部６ａの基端側を部分的に閉塞する隔壁部６ｂとを備えている。隔壁部６ｂには貫通孔６ｃが設けられ、該貫通孔６ｃにオスコネクタ部２を貫通させつつ、隔壁部６ｂをオスコネクタ部２の基端部に嵌合できるようになっている。
【００２４】
カバー部材６は、本実施形態では、オスコネクタ２の中心軸線Ｏを中心とする回転対称をなすように構成されている。外周壁部６ａの内周面には、周方向に間隔を空けて配置された複数（本例では４つ）の突起６ｄからなる先端側ストッパ部９が形成されている。また、隔壁部６ｂで基端側ストッパ部１０が形成される。これらの先端側ストッパ部９及び基端側ストッパ部１０により、ロック部材４がカバー部材６内に配置されたとき、ロック部材４の先端側及び基端側への移動範囲が制限される。その結果、ロック部材４は、カバー部材６に対してオスコネクタ部２の軸線Ｏに沿う方向に所定の範囲内のみにおいて移動可能となる。また、カバー部材６の内周面には、第１の内径を有する第１内径部６ｅと、該第１内径部６ｅよりも縮径された第２の内径を有する第２内径部６ｆとが設けられている。
【００２５】
ロック部材４は、図２及び図３に示すように、本実施形態では、オスコネクタ２の中心軸線Ｏを中心とする回転対称をなすように構成されている。また、ロック部材４は、第１ロック部１１を備えている。第１ロック部１１は、後掲図６（ｂ）に示すように、他の医療用コネクタ１００のメスコネクタ部１０１と係合し、メスコネクタ部１０１を第１ロック状態にすることが可能である。すなわち、第１ロック状態とは、第１ロック部１１とメスコネクタ部１０１とが係合した状態を意味する。
【００２６】
本実施形態では、第１ロック部１１は、図２及び図３に示すように、複数（本例では２つ）の弾性片１２の先端側に設けられた複数（本例では２つ）の第１係合部１３として形成されている。より具体的には、複数の第１係合部１３は、複数の弾性片１２の先端側に設けられ径方向内側に突出する複数（本例では２つ）の第１係合突起部１４として形成されている。複数の第１係合突起部１４は、特に図１（ｄ）に示す、他の医療用コネクタ１００のメスコネクタ部１０１の外周面１０２に凹設された複数（本例では２つ）の第１係合凹部１０３（第１ロック部用係合凹部）と係合可能である。
【００２７】
また、医療用コネクタ１は、後掲図６（ｃ）に示すように、第２ロック部１５と第２ロック解除操作部１６とを備えている。第２ロック部１５は、第１ロック部１１と他の医療用コネクタ１００のメスコネクタ部１０１とが係合した第１ロック状態において、メスコネクタ部１０１を、該メスコネクタ部１０１がオスコネクタ部２に対して離脱方向に移動できない第２ロック状態にする（後掲図６（ｃ）参照）ことが可能である。第２ロック解除操作部１６は、第２ロック状態を解消させるための操作部である。
【００２８】
第２ロック部１５は、本実施形態では、他の医療用コネクタ１００のメスコネクタ部１０１をカバー部材６に係合させることで、メスコネクタ部１０１を第２ロック状態にするように構成されている。より具体的には、第２ロック部１５は、カバー部材６に設けられ径方向内側に突出する第２係合突起部１５ａからなり、第２係合突起部１５ａは、メスコネクタ部１０１の外周面１０２に凹設された第２係合凹部１０４（第２ロック部用係合凹部）と係合可能である。そして、第２ロック解除操作部１６は、第２係合突起部１５ａを有すると共にカバー部材６の外周壁部６ａに一体に設けられた揺動レバー１７の操作部となっている。本実施形態では、第２ロック部１５と第２ロック解除操作部１６は、それぞれ、オスコネクタ部２の軸線Ｏを挟んで対向する２箇所に設けられている。
【００２９】
そして、医療用コネクタ１は、オスコネクタ部２を他の医療用コネクタ１００のメスコネクタ部１０１に挿入すると、図５（ｂ）及び図５（ｃ）に示すように、ロック部材４が、メスコネクタ部１０１に押されてオスコネクタ部２の基端側に第１の回転方向への回転を伴いつつ移動し、該回転に伴ってロック部材４の複数の弾性片１２（図５（ａ）参照）が弾性変形し、該弾性変形に伴って、図６（ｂ）及び図６（ｃ）に示すように、第１ロック部１１がメスコネクタ部１０１と係合し、メスコネクタ部１０１が第１ロック状態になると共に第２ロック状態となる（すなわち、オスコネクタ部２とメスコネクタ部１０１との接続完了状態となる）ように構成されている。
【００３０】
また、医療用コネクタ１は、オスコネクタ部２とメスコネクタ部１０１との接続を以下の要領で解除できるように構成されている。すなわち、図７に示すように、第２ロック解除操作部１６の操作にて第２ロック状態を解消させ、図８に示すように、メスコネクタ部１０１をオスコネクタ部２に対して離脱方向に移動させると、ロック部材４が、第１ロック状態を維持したままでメスコネクタ部１０１と共に前記離脱方向に移動する。そして、図９に示すように、メスコネクタ部１０１を第１の回転方向と反対方向である第２の回転方向に回転させると、ロック部材４もメスコネクタ１０１と共に回転し、該回転に伴ってロック部材４の複数の弾性片１２が前記弾性変形から復元し、該復元に伴って第１ロック状態が解消する（接続解除完了）。
【００３１】
このように、医療用コネクタ１は、他の医療用コネクタ１００との接続を解除するためには、第２ロック解除操作部１６の操作、メスコネクタ部１０１の引っ張り操作、及びメスコネクタ部１０１の回転操作という３つの操作を経る必要がある。また、この３つの操作はそれぞれ操作に必要な力の向きが異なる。したがって、医療用コネクタ１は、他の医療用コネクタ１００からの意図しない離脱の発生を確実に防止できるようになっている。
【００３２】
このようなロック部材４の移動、回転、弾性変形及び復元を生じさせるための、本実施形態における具体的構造について、図１０Ａ〜図１２Ｄを用いて以下に詳細に説明する。図１０Ａ〜図１０Ｄは、カバー部材６とロック部材４を示す斜視図であり、図１０Ａは、図５に示した接続開始時の状態を示し、図１０Ｂは、図５に示した接続開始時の状態と図６に示した接続完了時の状態との間の状態を示し、図１０Ｃは、図６に示した接続完了時の状態を示し、図１０Ｄは、図８に示した、第２ロック状態解消後、第１ロック状態解消前の状態を示している。
【００３３】
また、図１１Ａ〜図１１Ｄは、カバー部材６とロック部材４を示す他の角度から見た斜視図であり、図１１Ａ〜図１１Ｄはそれぞれ図１０Ａ〜図１０Ｄと同じ状態を示している。さらに、図１２Ａ〜図１２Ｄは、カバー部材６とロック部材４を示す側面図であり、図１２Ａ〜図１２Ｄはそれぞれ図１０Ａ〜図１０Ｄと同じ状態を示している。
【００３４】
本実施形態では、ロック部材４の回転を生じさせるために、特に図１２Ａ〜図１２Ｃに示すように、カバー部材６の内周面に第１の当接面１８が設けられ、ロック部材４の外周面に第２の当接面１９が設けられている。そして、第１の当接面１８と第２の当接面１９のうちの少なくとも一方が弦巻状の軌道に沿って形成されている。本実施形態においては、より具体的には、第１の当接面１８と第２の当接面１９の双方が、弦巻状の軌道に沿って形成されている。そして、ロック部材４がカバー部材６に対して基端側（背面側）に移動させられると、第２の当接面１９が第１の当接面１８に押し当てられることで、ロック部材４が第１の回転方向に回転させられる（図１２Ａ〜図１２Ｃ、図１０Ａ〜図１０Ｃ参照）ようになっている。
【００３５】
また、本実施形態では、ロック部材４の複数の弾性片１２の弾性変形を生じさせるために、特に図１１Ａ〜図１１Ｃに示すように、ロック部材４がカバー部材６に対して第１の回転方向に回転させられると、複数の弾性片１２のそれぞれが第１内径部６ｅから第２内径部６ｆへの移動に伴って径方向内側に弾性変形し、該弾性変形に伴って、複数の第１係合部１３のそれぞれがメスコネクタ部１０１と係合する（図６（ｂ）、図１１Ｃ参照）ようになっている。
【００３６】
そして、本実施形態では、この状態から、ロック部材４がカバー部材６に対して先端側（正面側）に移動させられると、図１０Ｄ、図１１Ｄ、図１２Ｄに示すように、ロック部材４は回転を伴うことなく、且つ、複数の弾性片１２のそれぞれが第２内径部６ｆに位置したままで移動するようになっている。このため、ロック部材４がカバー部材６に対して先端側（正面側）に移動させられる際は、複数の弾性片１２の弾性変形は維持され、複数の第１係合部１３とメスコネクタ部１０１との係合状態、すなわち、第１ロック状態は維持される（図８（ｂ）参照）。
【００３７】
また、本実施形態では、この状態（図１１Ｄ、図１２Ｄ参照）から、ロック部材４がカバー部材６に対して第２の回転方向に回転させられると、特に図１１Ａ及び図１２Ａに示したように、複数の弾性片１２のそれぞれが第２内径部６ｆから第１内径部６ｅへ移動し、該移動に伴って径方向外側に復元し、該復元に伴って、複数の第１係合部１３のそれぞれとメスコネクタ部１０１との係合が解除される（図９（ａ）参照）ようになっている。なお、ロック部材４の第２の回転方向への回転は、メスコネクタ部１０１を第２の回転方向に回転させることにより、図１に示したメスコネクタ部１０１の複数の第１係合凹部１０３の端縁１０３ａに、複数の第１係合突起部１４（図８（ｂ）参照）が押されることで生じるようになっている。
【００３８】
なお、カバー部材６には、特に図４に示したように、隔壁部６ｂから先端側へ延びる複数（本例では２つ）の弾性片が設けられており、該弾性片の先端側にはロック部材４と係合可能な複数（本例では２つ）の第３係合突起部２０が設けられている。そして、ロック部材４がカバー部材６内の移動可能範囲の基端側端部に達したときに、この複数の第３係合突起部２０がロック部材４の複数（本例では２つ）の開口部２１（図３参照）と係合して節度感を生じさせ（図６（ｂ）参照）、また、ロック部材４が該基端側端部から脱するときに、この複数の第３係合突起部２０とロック部材４の複数の開口部２１との係合が解除されて節度感を生じさせる（図８（ｂ）参照）ようになっている。
【００３９】
また、カバー部材６の外周壁部６ａの内周面には、図４、図１０Ａ及び図１０Ｄに示すように、複数（本例では２つ）の第４係合突起部２２が設けられている。また、ロック部材４には、この複数の第４係合突起部２２と係合可能な複数（本例では２つ）の第５係合突起部２３が設けられている（図１０Ｄ参照）。そして、ロック部材４がカバー部材６内の移動可能範囲の先端側端部に達した後、ロック部材４がカバー部材６に対して第２の回転方向に回転させられたとき（すなわち、図１０Ｄの状態から図１０Ａの状態になるとき）に、複数の第５係合突起部２３が複数の第４係合突起部２２を乗り越えることで節度感を生じさせるようになっている。
【００４０】
なお、特に図１（ａ）に示すように、他の医療用コネクタ１００のメスコネクタ部１０１の開口部には、医療用コネクタ１のオスコネクタ部２の挿入時に該開口部を開放して流路を形成する一方で、オスコネクタ部２の非挿入時には該開口部を閉鎖する弁体１０５が設けられている。本例では、弁体１０５の天面部１０５ａには、メスコネクタ部１０１の流路側から天面部側に向けて付勢力が付与されている。このような付勢力を生じさせるための具体的な構造は図示を省略しているが、そのような構造としては、例えば、弁体１０５と別体の弦巻ばねを流路内に配置してもよいし、弁体１０５の天面部１０５ａと一体に蛇腹状の弾性部を設けてもよい。
【００４１】
また、医療用コネクタ１のオスコネクタ部２の挿入時に弁体１０５がメスコネクタ部１０１の開口部を開放して流路を形成するための具体的な構造についても図示を省略しているが、そのような構造としては、例えば、弁体１０５やメスコネクタ部１０１のハウジングに、メスコネクタ部１０１の開口部の開放時に形成される流路の一部を区画する溝を適宜設けることができる。
【００４２】
以上説明したように、本実施形態に係る医療用コネクタ１は、オスコネクタ部２と該オスコネクタ部２の外周を取り囲むカバー部３とを備えるコネクタ本体１ａと、カバー部３内に配置され、カバー部３に対してオスコネクタ部２の軸線Ｏに沿う方向に所定の範囲内のみにおいて移動可能であると共に第１ロック部１１を備えるロック部材４と、第２ロック部１５と、第２ロック解除操作部１６とを備えている。また、第１ロック部１１は、他の医療用コネクタ１００のメスコネクタ部１０１と係合し、メスコネクタ部１０１を第１ロック状態にすることが可能である。また、第２ロック部１５は、第１ロック状態において、メスコネクタ部２を、該メスコネクタ部１０１がオスコネクタ部２に対して離脱方向に移動できない第２ロック状態にすることが可能であり、第２ロック解除操作部１６は、第２ロック状態を解消させるための操作部である。
【００４３】
そして、医療用コネクタ１は、オスコネクタ部２をメスコネクタ部１０１に挿入すると、第１ロック部１１がメスコネクタ部１０１と係合し、メスコネクタ部１０１が第１ロック状態になると共に第２ロック状態となるように構成されている。
【００４４】
また、医療用コネクタ１は、第２ロック解除操作部１６の操作にて第２ロック状態を解消させ、メスコネクタ部１０１をオスコネクタ部２に対して離脱方向に移動させると、ロック部材４が、第１ロック状態を維持したままでメスコネクタ部１０１と共に前記離脱方向に移動し、メスコネクタ部１０１をオスコネクタ部２に対して回転させると、第１ロック状態が解消するように構成されている。
【００４５】
したがって、本実施形態に係る医療用コネクタ１によれば、オスコネクタ部２をメスコネクタ部１０１に挿入すると、第１ロック部１１がメスコネクタ部１０１と係合し、メスコネクタ部１０１が第１ロック状態になると共に第２ロック状態となる。したがって、本実施形態によれば、オスコネクタ部２を他の医療用コネクタ１００のメスコネクタ部１０１に挿入するだけでコネクタ１，１００同士を接続することができる。また、この接続状態において、第１ロック部１１はカバー部３内に位置しているため、第１ロック部１１に外力が作用してコネクタ１，１００の意図しない離脱を生じることが防止される。
【００４６】
また、本実施形態に係る医療用コネクタ１によれば、このコネクタ１，１００同士の接続状態から、第２ロック解除操作部１６の操作にて第２ロック状態を解消させ、メスコネクタ部１０１をオスコネクタ部２に対して離脱方向に移動させると、ロック部材４が、第１ロック状態を維持したままでメスコネクタ部１０１と共に前記離脱方向に移動し、メスコネクタ部１０１をオスコネクタ部２に対して回転させると、第１ロック状態を解消させることができる。
【００４７】
このように、本実施形態では、コネクタ１，１００同士の接続を解除するためには、第２ロック解除操作部１６の操作、メスコネクタ部１０１の引っ張り操作、及びメスコネクタ部１０１の回転操作という３つの操作を経る必要がある。
【００４８】
したがって、本実施形態に係る医療用コネクタ１によれば、他の医療用コネクタ１００に対する接続操作の容易性を確保しつつ、意図しない離脱の発生をより確実に防止することができる。
【００４９】
また、本実施形態に係る医療用コネクタ１は、オスコネクタ部２をメスコネクタ部１０１に挿入すると、ロック部材４は、メスコネクタ部１０１に押されてオスコネクタ部２の基端側に移動し、該移動に伴ってロック部材４が弾性変形し、該弾性変形に伴って第１ロック部１１がメスコネクタ部１０１と係合し、第１ロック状態を解消する際に、メスコネクタ部１０１をオスコネクタ部２に対して回転させると、ロック部材４がメスコネクタ部１０１と共に回転し、該回転に伴ってロック部材４が前記弾性変形から復元し、該復元に伴って第１ロック状態が解消するように構成されている。
【００５０】
したがって、本実施形態に係る医療用コネクタ１によれば、簡単な構造によって、メスコネクタ部１０１を第１ロック状態にし、また、第１ロック状態を解消させることが可能となる。
【００５１】
また、本実施形態に係る医療用コネクタ１は、オスコネクタ部２をメスコネクタ部１０１に挿入すると、ロック部材４は、メスコネクタ部１０１に押されてオスコネクタ部２の基端側に第１の回転方向への回転を伴いつつ移動し、第１ロック状態を解消する際に、メスコネクタ部１０１をオスコネクタ部２に対して回転させる方向は、第１の回転方向と反対方向である第２の回転方向となるように構成されている。
【００５２】
したがって、本実施形態に係る医療用コネクタ１によれば、簡単な構造によって、メスコネクタ部１０１を第１ロック状態にし、また、第１ロック状態を解消させることが可能となる。
【００５３】
また、本実施形態に係る医療用コネクタ１は、カバー部３の内周面には第１の当接面１８が設けられており、ロック部材４の外周面には第２の当接面１９が設けられており、第１の当接面１８と第２の当接面１９のうちの少なくとも一方が弦巻状の軌道に沿って形成されており、第２の当接面１９が第１の当接面１８に押し当てられることで、ロック部材４がオスコネクタ部２に対して第１の回転方向に回転させられるように構成されている。
【００５４】
したがって、本実施形態に係る医療用コネクタ１によれば、簡単な構造によって、ロック部材４の回転を生じさせることが可能となる。
【００５５】
また、本実施形態に係る医療用コネクタ１は、第１ロック部１１が、複数の弾性片１２の先端側に設けられた複数の第１係合部１３として形成されており、カバー部３の内周面には、第１の内径を有する第１内径部６ｅと、該第１内径部６ｅよりも縮径された第２の内径を有する第２内径部６ｆとが設けられており、ロック部材４がメスコネクタ部１０１に押されてオスコネクタ部２の基端側に移動すると、複数の弾性片１２のそれぞれが第１内径部６ｅから第２内径部６ｆへの移動に伴って径方向内側に弾性変形し、該弾性変形に伴って、複数の第１係合部１３のそれぞれがメスコネクタ部１０１と係合するように構成されている。
【００５６】
したがって、本実施形態に係る医療用コネクタ１によれば、簡単な構造により、ロック部材４を弾性変形させ、第１ロック部１１をメスコネクタ部１０１と係合させることが可能となる。
【００５７】
また、本実施形態に係る医療用コネクタ１は、複数の第１係合部１３が、複数の弾性片１２の先端側に設けられ径方向内側に突出する複数の第１係合突起部１４として形成されており、複数の第１係合突起部１４は、メスコネクタ部１０１の外周面１０２に凹設された複数の第１係合凹部１０３と係合可能であるという構成になっている。
【００５８】
したがって、本実施形態に係る医療用コネクタ１によれば、簡単な構造により、複数の第１係合部１３をメスコネクタ部１０１に確実に係合させることができる。
【００５９】
また、本実施形態に係る医療用コネクタ１は、第２ロック部１５が、メスコネクタ部１０１をカバー部３に係合させることで、メスコネクタ部１０１を第２ロック状態にするように構成されている。
【００６０】
したがって、本実施形態に係る医療用コネクタ１によれば、第２ロック部１５を簡単な構造で実現することができる。
【００６１】
また、本実施形態に係る医療用コネクタ１は、第２ロック部１５が、カバー部３に設けられ径方向内側に突出する第２係合突起部１５ａからなり、第２係合突起部１５ａは、メスコネクタ部１０１の外周面１０２に凹設された第２係合凹部１０４と係合可能であり、第２ロック解除操作部１６は、第２係合突起部１５ａを有すると共にカバー部３に一体に設けられた揺動レバー１７の操作部であるという構成になっている。
【００６２】
したがって、本実施形態に係る医療用コネクタ１によれば、第２ロック解除操作部１６を簡単な構造で実現することができる。
【００６３】
前述したところは本発明の一実施形態を示したにすぎず、特許請求の範囲において、種々の変更を加えることができる。例えば、前述した実施形態では、第２ロック部１５が、メスコネクタ部１０１をカバー部３に係合させることで、メスコネクタ部１０１を第２ロック状態にするように構成されるものとして説明したが、必ずしもこのような構成に限られず、例えば、ロック部材４をカバー部３に係合させることで、メスコネクタ部１０１を第２ロック状態にするように構成することも可能である。
【符号の説明】
【００６４】
１  医療用コネクタ
１ａ  コネクタ本体
２  オスコネクタ部
３  カバー部
４  ロック部材
５  ハウジング
６  カバー部材
６ａ  外周壁部
６ｂ  隔壁部
６ｃ  貫通孔
６ｄ  突起
６ｅ  第１内径部
６ｆ  第２内径部
７  メスコネクタ部
８  混注ポート部
８ａ  弁体
９  先端側ストッパ部
１０  基端側ストッパ部
１１  第１ロック部
１２  弾性片
１３  第１係合部（第１ロック部）
１４  第１係合突起部（第１ロック部）
１５  第２ロック部
１５ａ  第２係合突起部（第２ロック部）
１６  第２ロック解除操作部
１７  揺動レバー
１８  第１の当接面
１９  第２の当接面
２０  第３係合突起部
２１  開口部
２２  第４係合突起部
２３  第５係合突起部
１００  他の医療用コネクタ
１０１  他の医療用コネクタのメスコネクタ部
１０２  他の医療用コネクタのメスコネクタ部の外周面
１０３  第１係合凹部（第１ロック部用係合凹部）
１０３ａ  第１係合凹部の端縁
１０４  第２係合凹部（第２ロック部用係合凹部）
１０５  弁体
１０５ａ  弁体の天面部
Ｏ  軸線
【図１】
2016152137.tif 000003
【図２】
2016152137.tif 000004
【図３】
2016152137.tif 000005
【図４】
2016152137.tif 000006
【図５】
2016152137.tif 000007
【図６】
2016152137.tif 000008
【図７】
2016152137.tif 000009
【図８】
2016152137.tif 000010
【図９】
2016152137.tif 000011
【図１０Ａ】
2016152137.tif 000012
【図１０Ｂ】
2016152137.tif 000013
【図１０Ｃ】
2016152137.tif 000014
【図１０Ｄ】
2016152137.tif 000015
【図１１Ａ】
2016152137.tif 000016
【図１１Ｂ】
2016152137.tif 000017
【図１１Ｃ】
2016152137.tif 000018
【図１１Ｄ】
2016152137.tif 000019
【図１２Ａ】
2016152137.tif 000020
【図１２Ｂ】
2016152137.tif 000021
【図１２Ｃ】
2016152137.tif 000022
【図１２Ｄ】
2016152137.tif 000023
【国際調査報告】
2016152137.tif 000024
2016152137.tif 000025
2016152137.tif 000026
2016152137.tif 000027